(57)【要約】      （修正有）【課題】動物の体温上昇を効果的に抑えつつ、保冷剤の交換作業が容易な動物用被服を提供する。【解決手段】動物用被服は、動物の体に当てられる被服本体１０と、被服本体１０を動物に係合するための係合機構と、を備える。被服本体１０は、第１シート部材と、表側シート部材に対して重なるように配された第２シート部材と、を備える。第１シート部材の縁部と第２シート部材の縁部とは、縫合線ＨＬにおいて縫合され、一体となっている。縫合線ＨＬは、胸当部１１の前方縁部を除き、第１シート部材の縁部と第２シート部材の縁部とに設定される。被服本体１０の前方縁部には開口部１０Ｘが形成される。被服本体１０には、開口部１０Ｘを有する保冷剤収容袋が形成される。保冷剤収容袋は、保冷剤８０を収容可能となっている。【選択図】図３
2020080718.tif 000002
【特許請求の範囲】
【請求項１】
動物の胸部に当てられるシート状の胸当部と、
前記胸当部を前記動物に係合するための係合部と、
前記胸当部に形成された袋部と、を備え、
前記胸当部の縁部に前記袋部の開口部が形成され、
前記袋部は、冷暖房具が収容可能であることを特徴とする動物用被服。
【請求項２】
前記胸当部は、
第１シート部材と、
前記第１シート部材に対して重なるように配された第２シート部材と、を備え、
前記第１シート部材の縁部と前記第２シート部材の縁部とは、前記袋部の開口部を除き、一体となっていることを特徴とする請求項１記載の動物用被服。
【請求項３】
前記袋部の開口部は、前方へ開口していることを特徴とする請求項１または２記載の動物用被服。
【請求項４】
前記動物は、犬であることを特徴とする請求項１ないし３のうちいずれか１項記載の動物用被服。
【請求項５】
前記袋部の開口部は、襟ぐり部に形成されたことを特徴とする請求項１ないし４のうちいずれか１項記載の動物用被服。
【発明の詳細な説明】
【技術分野】
【０００１】
本発明は、動物用被服に関する。
【背景技術】
【０００２】
従来より、犬等のペットを散歩させる際等に用いる動物用被服が開発されている。従来の技術としては、ペットの腹部に被着される腹当部と、腹当部のペットの腹部側又は地面側に配設された冷暖房具収納部形成部とを備えたペット用腹巻」が開示されている（例えば、特許文献１）。
【先行技術文献】
【特許文献】
【０００３】
【特許文献１】特開2005-287321号公報
【発明の概要】
【発明が解決しようとする課題】
【０００４】
しかしながら、特許文献１に記載のペット用腹巻の場合、次のような問題があった。
（１）腹部に冷暖房具（保冷剤や懐炉等）を当てても、動物の体温調節を行うには不十分であること。
（２）冷暖房具の冷暖房能力が散歩中において失われてしまう都度、冷暖房具の交換が必要となること。
（３）冷暖房具の交換作業の際、ペット用腹巻の着脱作業が必要になること。
【０００５】
本発明は、斯かる実情に鑑み、動物の体温調節を効果的に行いながら、冷暖房具の交換作業が容易な動物用被服を提供しようとするものである。
【課題を解決するための手段】
【０００６】
本発明の動物用被服は、動物の胸部に当てられるシート状の胸当部と、前記胸当部を前記動物に係合するための係合部と、前記胸当部に形成された袋部と、を備え、前記胸当部の縁部に前記袋部の開口部が形成され、前記袋部は、冷暖房具が収容可能であることを特徴とする。
【発明の効果】
【０００７】
本発明によれば、動物の体温調節を効果的に行いながら、冷暖房具の交換作業が容易な動物用被服を提供することができる。
【図面の簡単な説明】
【０００８】
【図１】動物用被服の使用方法の一例を示す説明図である。
【図２】動物用被服の概要を示す説明図である。
【図３】被服本体の概要を示す平面図である。
【図４】被服本体の概要を示す前方側面図である。
【図５】左前延設部の概要を示す拡大図である。
【発明を実施するための形態】
【０００９】
図１〜２に示すように、動物用被服２は、動物ＡＮの体に当てられる被服本体１０と、被服本体１０を動物ＡＮに係合するための係合機構２０と、を備える。
【００１０】
図３に示すように、被服本体１０は、エ字状に形成されるものであり、動物ＡＮの胸部（図１）に当てられる胸当部１１と、胸当部１１の前方部から左側へ延設する左前延設部１２と、胸当部１１の前方部から右側へ延設する右前延設部１３と、胸当部１１の後方部から左側へ延設する左後延設部１４と、胸当部１１の後方部から右側へ延設する右後延設部１５と、を備える。各部１２〜１５は、前方に向けて湾曲していることが好ましい。
【００１１】
図２に示すように、係合機構２０は、左用紐２１と、右用紐２２と、環状に形成された環状紐２３と、環状紐２３に通される環状金具２４と、環状金具２４に対し着脱自在なジョイント金具２７と、ジョイント金具２７から延びるリード２８と、を備える。
【００１２】
左用紐２１は、左前延設部１２と左後延設部１４とをつなぐ。このため、被服本体１０と左用紐２１とによって左前脚を通すための左環構造ＬＷが形成される。同様に、右用紐２２は、右前延設部１３と右後延設部１５とをつなぐ。このため、被服本体１０と右用紐２２とによって、右前脚を通すための右環構造ＲＷが形成される。環状紐２３は、右環構造ＲＷと左環構造ＬＷと環状金具２４とを通る。このため、被服本体１０と環状金具２４とが連結する。
【００１３】
図４に示すように、被服本体１０は、シート状に形成されるものであり、布製の第１シート部材５１と、布製の表側シート部材に対して重なるように配された第２シート部材５２と、を備える。第１シート部材５１と第２シート部材５２とはほぼ同一形状となっている。
【００１４】
図３に示すように、第１シート部材５１の縁部と第２シート部材５２の縁部とは、縫合線ＨＬにおいて縫合され、一体となっている。縫合線ＨＬは、被服本体１０の前方縁部１０Ｈを除き、第１シート部材５１の縁部と第２シート部材５２の縁部とに設定される。
【００１５】
このため、被服本体１０の前方縁部１０Ｈには開口部１０Ｘ（図４）が形成される。このため、被服本体１０には、開口部１０Ｘ（図４）を有する保冷剤収容袋１０Ｂが形成される。保冷剤収容袋１０Ｂは、保冷剤８０を収容可能となっている。また、被服本体１０の前方縁部１０Ｈは、襟ぐりが形成された部分（襟ぐり部）を備えたことが好ましい。
【００１６】
動物用被服２の使用方法について説明する。
【００１７】
まず、動物ＡＮの胸部（図１）に胸当部１１を当て、左前延設部１２を左前脚の前側を通し、右前延設部１３を右前脚の前側を通す。さらに、左後延設部１４を左前脚の後側を通し、右後延設部１５を右前脚の後側を通す。リード２８は、環状紐２３と環状金具２４とジョイント金具２７により、被服本体１０と係合する。このため、リード２８を引くことにより、動物ＡＮの動きを規制することができる。
【００１８】
ここで、被服本体１０には、縁部に開口する保冷剤収容袋１０Ｂが形成されるため、開口部１０Ｘ（図４）から保冷剤８０の出し入れが可能となるばかりか、動物用被服２を装着したまま保冷剤８０の出し入れが可能となる。結果、散歩途中に保冷剤の冷却能が失われてしまっても、動物ＡＮから動物用被服２を脱がすことなく、そのまま保冷剤の交換が可能となる。また、保冷剤収容袋１０は縁部にて開口するため、袋の輪郭線や袋の開口が被服本体１０から見えにくくなり、デザイン性を高めることができる。
【００１９】
さらに、第１シート部材５１と第２シート部材５２との柄を異なるものとすることにより、動物用被服２をリバーシブルとして利用することができる。加えて、保冷剤収容袋１０は前方縁部１０Ｈに開口するため、第１シート部材５１と第２シート部材５２のいずれを表側として利用しても、冷却効果はほぼ等しいものとなる。
【００２０】
なお、左用紐２１は、２枚の帯を重ねたものを利用してもよい。これにより、左用紐２１の一方側では、２枚の帯の端部で左前延設部１２を挟み、これらを縫合する。同様にして、左用紐２１の他方側では、２枚の帯の端部で左後延設部１４を挟み、これらを縫合する。同様にして、右用紐２２は、２枚の帯を重ねたものを利用してもよい。これにより、右用紐２２の一方側では、２枚の帯の端部で右前延設部１３を挟み、これらを縫合する。同様にして、右用紐２２の他方側では、２枚の帯の端部で右後延設部１５を挟み、これらを縫合する。このような構造は、動物用被服２をリバーシブルとして利用した場合にも適している。
【００２１】
上記実施形態では、第１シート部材５１と第２シート部材５２として、布製の物を用いたが本発明はこれに限られず、プラスチック等からなる不織布でもよい。また、第１シート部材５１と第２シート部材５２と一体にする手法として縫合を用いたが、本発明はこれに限られない。各シート部材の素材に応じて、接着、溶着や溶接等を用いてもよい。
【００２２】
上記実施形態では、被服本体１０として、エ字状に形成されるものを用いたが本発明はこの形状に限られない。また、被服本体１０として、胸当部１１以外に、動物の腹部に当てられる腹当部や、動物の背部に当てられる背当部などを有していてもよい。
【００２３】
上記実施形態では、保冷剤収容袋１０Ｂを被服本体１０に設けたが、本発明はこれに限られない。保冷剤収容袋１０Ｂに代えて、懐炉が収容可能な懐炉収容袋を被服本体１０に設けてもよい。
【００２４】
上記実施形態では、被服本体１０として、エ字状に形成されるものを用いたが本発明はこの形状に限られない。また、被服本体１０として、胸当部１１以外に、動物の腹部に当てられる腹当部や、動物の背部に当てられる背当部などを有していてもよい。
【００２５】
尚、本発明は、上記した実施の形態に限定されるものではなく、本発明の要旨を逸脱しない範囲内において種々変更を加え得ることは勿論である。
【符号の説明】
【００２６】
２     動物用被服
１０   被服本体
１０Ｂ 保冷剤収容袋
１０Ｘ 開口部
１１   胸当部
１１Ｘ 前方縁部
１２   左前延設部
１３   右前延設部
１４   左後延設部
１５   右後延設部
２０   係合機構
２１   左用紐
２２   右用紐
２３   環状紐
２４   環状金具
２７   ジョイント金具
２８   リード
８０   保冷剤
【図１】
2020080718.tif 000003
【図２】
2020080718.tif 000004
【図３】
2020080718.tif 000005
【図４】
2020080718.tif 000006
【図５】
2020080718.tif 000007
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
動物に着衣させるための動物用被服であって、
動物の胸部に当てられるシート状の胸当部と、
前記胸当部を前記動物に係合するための係合部と、
前記胸当部に形成された袋部と、を備え、
前記胸当部の縁部に前記袋部の開口部が形成され、
前記袋部の開口部は、前記動物用被服の縁部に位置し、
前記袋部は、冷暖房具が収容可能であることを特徴とする動物用被服。
【請求項２】
前記胸当部は、
第１シート部材と、
前記第１シート部材に対して重なるように配された第２シート部材と、を備え、
前記第１シート部材の縁部と前記第２シート部材の縁部とは、前記袋部の開口部を除き
、一体となっていることを特徴とする請求項１記載の動物用被服。
【請求項３】
前記袋部の開口部は、前方へ開口していることを特徴とする請求項１または２記載の動
物用被服。
【請求項４】
前記動物は、犬であることを特徴とする請求項１ないし３のうちいずれか１項記載の動
物用被服。
【請求項５】
前記袋部の開口部は、襟ぐり部に形成されたことを特徴とする請求項１ないし４のうち
いずれか１項記載の動物用被服。
【手続補正２】
【補正対象書類名】明細書
【補正対象項目名】０００６
【補正方法】変更
【補正の内容】
【０００６】
本発明は、動物に着衣させるための動物用被服であって、動物の胸部に当てられるシート状の胸当部と、前記胸当部を前記動物に係合するための係合部と、前記胸当部に形成された袋部と、を備え、前記胸当部の縁部に前記袋部の開口部が形成され、前記袋部の開口部は、前記動物用被服の縁部に位置し、前記袋部は、冷暖房具が収容可能であることを特徴とする。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
動物に着衣させるための動物用被服であって、
動物の胸部に当てられるシート状の胸当部と、
前記胸当部を前記動物に係合するための係合部と、
前記胸当部に形成された袋部と、を備え、
前記胸当部の縁部に前記袋部の開口部が形成され、
前記袋部の開口部は、前記動物用被服の縁部に位置し、
前記袋部は、冷暖房具が収容可能であり、
リバーシブルとして利用可能であることを特徴とする動物用被服。
【請求項２】
前記胸当部は、
第１シート部材と、
前記第１シート部材に対して重なるように配された第２シート部材と、を備え、
前記第１シート部材の縁部と前記第２シート部材の縁部とは、前記袋部の開口部を除き
、一体となっていることを特徴とする請求項１記載の動物用被服。
【請求項３】
前記袋部の開口部は、前方へ開口していることを特徴とする請求項１または２記載の動
物用被服。
【請求項４】
前記動物は、犬であることを特徴とする請求項１ないし３のうちいずれか１項記載の動
物用被服。
【請求項５】
前記袋部の開口部は、襟ぐり部に形成されたことを特徴とする請求項１ないし４のうち
いずれか１項記載の動物用被服。
【手続補正２】
【補正対象書類名】明細書
【補正対象項目名】０００６
【補正方法】変更
【補正の内容】
【０００６】
本発明は、動物に着衣させるための動物用被服であって、動物の胸部に当てられるシート状の胸当部と、前記胸当部を前記動物に係合するための係合部と、前記胸当部に形成された袋部と、を備え、前記胸当部の縁部に前記袋部の開口部が形成され、前記袋部の開口部は、前記動物用被服の縁部に位置し、前記袋部は、冷暖房具が収容可能であり、リバーシブルとして利用可能であることを特徴とする。